(57)【要約】      （修正有）【課題】スキャン効率を高め、全体のコストを低下させる両面スキャン装置を提供する。【解決手段】両面スキャン装置１は、フラットベッドスキャナ１０、オートドキュメントフィーダ２０、給紙トレー３０及び給紙トレー動力モジュール４０を含む。オートドキュメントフィーダはフラットベッドスキャナに結合し、オートドキュメントフィーダはドキュメントフィーダ本体２１、用紙送り入口２２及び用紙送り出口２３を含む。給紙トレーはドキュメントフィーダ本体の一側に設置され、用紙送り入口及び用紙送り出口につながり、給紙トレーは上給紙プレート３１及び下給紙プレート３２を含む。給紙トレー動力モジュールは給紙トレーの一側に設置され、モータセット４１及びモータセットに接続される伝動部品４２を含む。伝動部品は下給紙プレートを用紙送り入口又は用紙送り出口につなげ、紙は２回スキャン領域を通過し、両面のイメージスキャンを完了する。【選択図】図６
0003234711.tif 000002
【実用新案登録請求の範囲】
【請求項１】
フラットベッドスキャナと、
前記フラットベッドスキャナに結合し、ドキュメントフィーダ本体、用紙送り入口及び用紙送り出口を含み、前記用紙送り入口及び前記用紙送り出口が前記ドキュメントフィーダ本体の上下側に位置するオートドキュメントフィーダと、
前記ドキュメントフィーダ本体の一側に設置され、前記用紙送り入口及び前記用紙送り出口につながり、間隔を開けて設置される上給紙プレート及び下給紙プレートを含む給紙トレーと、及び、
前記給紙トレーの一側に設置され、モータセット及び前記モータセットに接続される伝動部品を含み、前記伝動部品が前記給紙トレーに接続される給紙トレー動力モジュールと、
を含み、
前記伝動部品が前記モータセットの駆動下で前記給紙トレーを前記オートドキュメントフィーダの一側で移動させ、これにより前記下給紙プレートが前記用紙送り入口又は前記用紙送り出口につながるように制御する、両面スキャン装置。
【請求項２】
前記下給紙プレートにおける前記給紙トレー動力モジュールから離れた一側に回転軸が設けられ、前記回転軸が前記フラットベッドスキャナに設置される、請求項１に記載の両面スキャン装置。
【請求項３】
前記給紙トレーが複数の支持柱をさらに含み、前記支持柱が前記上給紙プレート及び前記下給紙プレートの縁部に間隔を開けて設置され、２つを相互に支持して接続し、これにより前記上給紙プレート及び前記下給紙プレートの間に下給紙スペースが形成される、請求項１に記載の両面スキャン装置。
【請求項４】
前記上給紙プレートが前記フラットベッドスキャナから離れた側に設置されて、上給紙スペースを有し、前記下給紙プレート及び前記フラットベッドスキャナの間に固定給紙スペースが形成される、請求項１に記載の両面スキャン装置。
【請求項５】
前記モータセットがモータ固定部品並びに前記モータ固定部品に設置されるモータ本体及び駆動歯車を含み、前記駆動歯車が前記モータ本体及び前記伝動部品に接続される、請求項４に記載の両面スキャン装置。
【請求項６】
前記伝動部品がラックであり、前記モータ固定部品にレールが設置され、前記伝動部品が前記レールに沿って移動し、前記モータ固定部品に可動結合することができる、請求項５に記載の両面スキャン装置。
【請求項７】
前記給紙トレー動力モジュールが支持板をさらに含み、前記支持板が前記モータ固定部品に接続され、前記下給紙プレートの底側に設置される、請求項６に記載の両面スキャン装置。
【請求項８】
前記モータ固定部品がケースであり、前記ケースにおける前記給紙トレーに面した一側に第１ボスが設けられ、前記支持板の一端が第１穿孔を有し、前記第１ボスが前記第１穿孔中に貫設される、請求項７に記載の両面スキャン装置。
【請求項９】
前記ラックが結合ボスを有し、前記支持板が第１スライド溝を有し、前記結合ボスが前記第１スライド溝中に位置する、請求項８に記載の両面スキャン装置。
【請求項１０】
前記給紙トレー動力モジュールが支持台をさらに含み、前記支持台が第２ボスを有し、前記支持板の前記第１穿孔に相対するもう一端に第２穿孔が設けられ、前記第２ボスが前記第２穿孔中に貫設される、請求項８に記載の両面スキャン装置。
【考案の詳細な説明】
【技術分野】
【０００１】
本考案は多機能スキャン装置に関し、特に両面スキャン装置を指す。
【背景技術】
【０００２】
フラットベッドスキャナ（Ｆｌａｔｂｅｄ  Ｓｃａｎｎｅｒ）は多くの事務所又は家庭で一般的な事務機器の１つであり、その用途は書類又は写真画像をスキャンして電子データに変換することである。このほか、フラットベッドスキャナは使用においてオートドキュメントフィーダ（Ａｕｔｏ  Ｄｏｃｕｍｅｎｔ  Ｆｅｅｄｅｒ、ＡＤＦ）をさらに搭載して、多機能スキャン装置を構成することができ、これは自動紙送りを利用して大量の書類をスキャンし、スキャン作業を加速させることができる。
【０００３】
さらに、現在、オートドキュメントフィーダを利用して両面スキャン作業を行うとき、ある種のスキャン方式は給紙経路の両側にそれぞれイメージセンサを設置して、それぞれ紙の表裏をスキャンする。このスキャン方式では、紙は一度給紙経路を経過する必要があるのみで、両面のイメージを得ることができる。しかし、このスキャン方式は２つのイメージセンサを採用する必要があり、２つのイメージセンサに対してそれぞれ洗浄、メンテナンスを行う必要があり、全体のコストが比較的高くなる。
【０００４】
また、別のスキャン方式は、用紙スキャン経路に単一のイメージセンサを設置する。これは紙の表面をスキャンした後、紙を裏返しにしてからスキャン経路に送って紙の裏面をスキャンする。紙の裏面をスキャンしてから、紙を再び裏返す必要があり、スキャン経路を通過（スキャンしない）させ、紙を裏返して表面に戻す。このスキャン方式は、全体のコストが比較的低い単一のイメージセンサを採用しているが、紙は３回スキャン領域を通過（Ｔｈｒｅｅ−ｐａｓｓ）させる必要があり、そうでなければ両面のイメージスキャンを完了することができず、スキャン時間が過度に長く、スキャン効率が低下する。
【考案の概要】
【考案が解決しようとする課題】
【０００５】
本考案は、両面スキャン装置を提供する。
【課題を解決するための手段】
【０００６】
本考案は、フラットベッドスキャナ、オートドキュメントフィーダ、給紙トレー及び給紙トレー動力モジュールを含む、両面スキャン装置を提供する。オートドキュメントフィーダはフラットベッドスキャナに結合し、オートドキュメントフィーダはドキュメントフィーダ本体、用紙送り入口及び用紙送り出口を含み、用紙送り入口及び用紙送り出口はドキュメントフィーダ本体の上下側に位置する。給紙トレーはドキュメントフィーダ本体の一側に設置され、用紙送り入口及び用紙送り出口につながり、給紙トレーは間隔を開けて設置される上給紙プレート及び下給紙プレートを含む。給紙トレー動力モジュールは給紙トレーの一側に設置され、給紙トレー動力モジュールはモータセット及びモータセットに接続される伝動部品を含み、伝動部品は給紙トレーに接続される。このうち、伝動部品はモータセットの駆動下で給紙トレーをオートドキュメントフィーダの一側で移動させ、これにより下給紙プレートが用紙送り入口又は用紙送り出口につながるように制御する。
【０００７】
本考案の両面スキャン装置において、下給紙プレートにおける該給紙トレー動力モジュールから離れた一側に回転軸が設けられ、回転軸はフラットベッドスキャナに設置される。
【０００８】
本考案の両面スキャン装置において、給紙トレーは複数の支持柱をさらに含み、支持柱は上給紙プレート及び下給紙プレートの縁部に間隔を開けて設置され、２つを相互に支持して接続する。これにより上給紙プレート及び下給紙プレートの間に、下給紙スペースが形成される。
【０００９】
本考案の両面スキャン装置において、上給紙プレートはフラットベッドスキャナから離れた側に設置されて、上給紙スペースを有し、下給紙プレート及びフラットベッドスキャナの間に固定給紙スペースが形成される。
【００１０】
本考案の両面スキャン装置において、モータセットはモータ固定部品並びにモータ固定部品に設置されるモータ本体及び駆動歯車を含み、駆動歯車はモータ本体及び伝動部品に接続される。
【００１１】
本考案の両面スキャン装置において、伝動部品はラックであり、モータ固定部品にレールが設置され、伝動部品はレールに沿って移動し、モータ固定部品に可動結合することができる。
【００１２】
本考案の両面スキャン装置において、給紙トレー動力モジュールは支持板をさらに含み、支持板はモータ固定部品に接続され、下給紙プレートの底側に設置される。
【００１３】
本考案の両面スキャン装置において、モータ固定部品はケースであり、ケースにおける給紙トレーに面した一側に第１ボスが設けられ、支持板の一端に第１穿孔を有し、第１ボスは第１穿孔中に貫設される。
【００１４】
本考案の両面スキャン装置において、ラックは結合ボスを有し、支持板は第１スライド溝を有し、結合ボスは第１スライド溝中に位置する。
【００１５】
本考案の両面スキャン装置において、給紙トレー動力モジュールは支持台をさらに含み、支持台は第２ボスを有する。支持板の第１穿孔に相対するもう一端に第２穿孔が設けられ、第２ボスは第２穿孔中に貫設される。
【００１６】
要約すると、本考案の両面スキャン装置はオートドキュメントフィーダに給紙トレー動力モジュールを設置し、給紙トレー動力モジュールにより給紙トレーをオートドキュメントフィーダの一側で移動させ、これにより上給紙プレート又は下給紙プレートが用紙送り入口につながるように制御する。これにより、スキャンされる書類が２回スキャン領域を通過する必要があるのみで、両面のイメージスキャンを完了することができ、従ってスキャン効率を高めることができる。このほか、両面スキャン装置にイメージセンサを１つのみ設置して、スキャンされる書類の両面スキャンを行うため、該両面スキャン装置の全体のコストを低下させることができる。
【図面の簡単な説明】
【００１７】
【図１】図１は、本考案の両面スキャン装置の立体外観概要図である。
【図２】図２は、本考案の給紙トレー及び給紙トレー動力モジュールの立体分解概要図である。
【図３】図３は、本考案の支持板及び給紙トレー動力モジュールを組み合わせた後の立体外観概要図である。
【図４】図４は、本考案の給紙トレー及び給紙トレー動力モジュールを組み合わせた後の立体外観概要図である。
【図５】図５は、本考案の両面スキャン装置の組合せ断面図である。
【図６】図６は、本考案の両面スキャン装置の動作概要図である。
【考案を実施するための形態】
【００１８】
本考案の詳細な説明及び技術内容に関して、図を組み合わせて以下のように説明する。しかし、添付する図は参考及び説明用に提供したに過ぎず、本考案を制限するものではない。
【００１９】
図１を参照されたい。図１は、本考案の両面スキャン装置の立体外観概要図である。本考案の両面スキャン装置１はフラットベッドスキャナ１０、オートドキュメントフィーダ２０、給紙トレー３０及び給紙トレー動力モジュール４０を含む。該オートドキュメントフィーダ２０は、該フラットベッドスキャナ１０に結合する。該給紙トレー３０は、該オートドキュメントフィーダ２０の一側に設置される。該給紙トレー動力モジュール４０は該給紙トレー３０を該オートドキュメントフィーダ２０の一側で移動させ、これにより紙送り位置を変更する。該両面スキャン装置１について、以下のようにより詳細に記載する。
【００２０】
他に図２から図４を参照されたい。図２から図４は、それぞれ本考案の給紙トレー及び給紙トレー動力モジュールの立体分解概要図、支持板及び給紙トレー動力モジュールを組み合わせた後の立体外観概要図、給紙トレー及び給紙トレー動力モジュールを組み合わせた後の立体外観概要図である。図２に示すように、該給紙トレー３０は間隔を開けて設置される上給紙プレート３１及び下給紙プレート３２を含む。該上給紙プレート３１は上給紙スペース３１０を有し、該フラットベッドスキャナ１０（他に図１を参照）から離れた側に設置される。このほか、該上給紙プレート３１及び該下給紙プレート３２の間に、下給紙スペース３００が形成される。
【００２１】
本実施例において、該給紙トレー３０は複数の支持柱３３をさらに含む。該支持柱３３は該上給紙プレート３１及び該下給紙プレート３２の縁部に間隔を開けて設置され、２つを相互に支持して接続する。これにより該上給紙プレート３１及び該下給紙プレート３２の間に、該下給紙スペース３００が形成される。
【００２２】
該給紙トレー動力モジュール４０は、該給紙トレー３０の一側に設置される。該給紙トレー動力モジュール４０は、モータセット４１及び該モータセット４１に接続される伝動部品４２を含む。具体的に述べると、該モータセット４１はモータ固定部品４１１、モータ本体４１２及び駆動歯車４１３を含む。該モータ本体４１２及び該駆動歯車４１３は該モータ固定部品４１１に設置され、該駆動歯車４１３は該モータ本体４１２及び該伝動部品４２に接続される。
【００２３】
本考案の一実施例において、該給紙トレー動力モジュール４０は支持板４３及び支持台４４をさらに含む。該支持板４３は、該モータ固定部品４１１、該伝動部品４２及び該支持台４４と接続される。該支持板４３は該下給紙プレート３２の底側に当接し、該支持板４３の一側は該伝動部品４２の移動に伴って上下に振れ、さらには該給紙トレー３０を動かす。
【００２４】
具体的に述べると、該支持板４３の一端に第１穿孔４３１及び第１スライド溝４３２が設けられ、相対するもう一端に第２穿孔４３３及び第２スライド溝４３４が設けられる。このほか、該支持台４４は第２ボス４４１を有する。本実施例において、該モータ固定部品４１１はケースであり、該ケースにおける該給紙トレー３０に面した一側に第１ボス４１４が設けられ、該第１ボス４１４は該第１穿孔４３１中に貫設される。このほか、該第２ボス４４１は該第２穿孔４３３中に貫設される。これにより、該支持板４３の１つの側面の２つの端部は、該モータ固定部品４１１及び該支持台４４にそれぞれ固定される。
【００２５】
図２及び図３を同時に参照されたい。該モータ本体４１２はモータ歯車４１２１を有する。該モータ歯車４１２１は該駆動歯車４１３に噛合し、該駆動歯車４１３は該伝動部品４２（ラック）と相互に噛合する。
【００２６】
本実施例において、該伝動部品４２はラックとして設置され、該ラックは結合ボス４２１を有し、該結合ボス４２１は該第１スライド溝４３２に位置し、該第１スライド溝４３２中で移動することができる。このほか、該モータ固定部品４１１における該伝動部品４２に対応する位置にレール４１５が設置される。該伝動部品４２は該レール４１５に沿って移動し、該モータ固定部品４１１に可動結合することができ、さらには移動可能に該給紙トレー３０の１つの側面に設置される。
【００２７】
これにより、該伝動部品４２（ラック）がレール４１５に沿って上下に移動するとき、該支持板４３の一側は該第１ボス４１４及び該第２ボス４４１を枢動中心として枢動する。又は、該支持板４３の相対するもう一側が上下に振れて運動する。
【００２８】
図４を参照されたい。本実施例において、該支持板４３は該下給紙プレート３２の一側に当接する。また、該下給紙プレート３２における該給紙トレー動力モジュール４０から離れた一側に回転軸３２１が設けられ、該回転軸３２１は該フラットベッドスキャナ１０に設置される。本実施例において、該フラットベッドスキャナ１０に軸孔１０１が設けられ、該回転軸３２１は該軸孔１０１中に貫設される。
【００２９】
さらに述べると、該モータセット４１が該伝動部品４２を直線的に上下に移動させるとき、該支持板４３の一側はこれに伴って上下に振れ、さらには該給紙トレー３０に当接し、上下に振って移動させる。このとき、該下給紙プレート３２の回転軸３２１は、該給紙トレー３０が上下に振れて移動するときの回転中心である。
【００３０】
引き続き図５及び図６を参照されたい。図５及び図６は、それぞれ本考案の両面スキャン装置の組合せ断面図及び動作概要図である。該オートドキュメントフィーダ２０は、該フラットベッドスキャナ１０に結合する。該オートドキュメントフィーダ２０はドキュメントフィーダ本体２１、用紙送り入口２２及び用紙送り出口２３を含み、該用紙送り入口２２及び該用紙送り出口２３は該ドキュメントフィーダ本体２１の上下側に位置する。このほか、該給紙トレー３０は該ドキュメントフィーダ本体２１の一側に設置され、該用紙送り入口２２及び該用紙送り出口２３につながる。該給紙トレー動力モジュール４０は、モータセット４１及び伝動部品４２を含む。該モータセット４１は該給紙トレー３０の一側に設置されて、該給紙トレー３０を動かすことができる。このため、該伝動部品４２は該モータセット４１の駆動下で該給紙トレー３０を該オートドキュメントフィーダ２０の一側で移動させ、これにより該上給紙プレート３１又は該下給紙プレート３２が該用紙送り入口２２につながるように制御する。
【００３１】
本実施例において、該オートドキュメントフィーダ２０は他に排紙ローラ２４、紙押さえ２５（Ｐａｐｅｒ  Ｗｅｉｇｈｔ）及びイメージセンサ２６を含む。該排紙ローラ２４は、該用紙送り出口２３に設置される。該紙押さえ２５は、該フラットベッドスキャナ１０の一側に結合される該ドキュメントフィーダ本体２１に設置される。該イメージセンサ２６は該紙押さえ２５の位置に対応し、該フラットベッドスキャナ１０の内部に設置される。
【００３２】
図５を参照されたい。本考案の両面スキャン装置１を使用するとき、スキャンされる書類２は第１面を上にして該上給紙プレート３１上（上給紙スペース３１０）に置かれる。該上給紙プレート３１は、該用紙送り入口２２につながる。
【００３３】
両面スキャンを行うとき、スキャンされる書類２は該用紙送り入口２２から該ドキュメントフィーダ本体２１のスキャン通路に進入して、該紙押さえ２５を経過する。該イメージセンサ２６は直ちに該スキャンされる書類２の第１面のスキャンを行い、第１面のスキャンが完了すると、該用紙送り出口２３を経由して送り出される。このとき、該スキャンされる書類２は第１面を下にして該下給紙プレート３２上（下給紙スペース３００中）に置かれる。
【００３４】
スキャンされる書類２の第１面のスキャンが完了すると、続いて、該給紙トレー動力モジュール４０が該給紙トレー３０を移動させ、該下給紙プレート３２を該用紙送り入口２２につなげる。このとき、スキャンされる書類２は第２面を上にして該下給紙プレート３２上に置かれている。該スキャンされる書類２は再び該用紙送り入口２２から該ドキュメントフィーダ本体２１のスキャン通路に進入し、該スキャンされる書類２の第２面のスキャンを行う。第２面のスキャンが完了すると、該用紙送り出口２３から該固定給紙スペース３２０（該フラットベッドスキャナ１０の最上面）に送り出される。このとき、該スキャンされる書類２は第１面を上にして該固定給紙スペース３２０中に置かれる。つまり、該スキャンされる書類２は両面スキャンが完了すると、第１面を上にして置かれた状態に戻る。
【００３５】
これにより、本考案の両面スキャン装置１はイメージセンサ２６を１つのみ設置し、該スキャンされる書類２の両面スキャンを行うため、該両面スキャン装置１の全体のコストを低下させることができる。このほか、スキャンされる書類２は２回スキャン領域（Ｔｗｏ−ｐａｓｓ）を通過する必要があるのみで、両面のイメージスキャンを完了することができるため、スキャン時間を低下させて、使用効率を高めることができ、本考案の実用性を高める。
【００３６】
以上の記載は本考案の好ましい実施例に過ぎず、本考案の範囲を決定するものではない。その他の本考案の主旨を利用した同等の変更は、いずれも本考案の範囲に属するべきである。
【符号の説明】
【００３７】
１  両面スキャン装置
２  スキャンされる書類
１０  フラットベッドスキャナ
１０１  軸孔
２０  オートドキュメントフィーダ
２１  ドキュメントフィーダ本体
２２  用紙送り入口
２３  用紙送り出口
２４  排紙ローラ
２５  紙押さえ
２６  イメージセンサ
３０  給紙トレー
３００  下給紙スペース
３１  上給紙プレート
３１０  上給紙スペース
３２  下給紙プレート
３２０  固定給紙スペース
３２１  回転軸
３３  支持柱
４０  給紙トレー動力モジュール
４１  モータセット
４１１  モータ固定部品
４１２  モータ本体
４１２１  モータ歯車
４１３  駆動歯車
４１４  第１ボス
４１５  レール
４２  伝動部品
４２１  結合ボス
４３  支持板
４３１  第１穿孔
４３２  第１スライド溝
４３３  第２穿孔
４３４  第２スライド溝
４４  支持台
４４１  第２ボス
【図１】
0003234711.tif 000003
【図２】
0003234711.tif 000004
【図３】
0003234711.tif 000005
【図４】
0003234711.tif 000006
【図５】
0003234711.tif 000007
【図６】
0003234711.tif 000008